(57)【要約】  インテリジェントスイッチングシステム及び方法は、無線アクセスネットワーク（ＲＡＮ）の無線基地局装置（ＢＴＳ）と基地局制御装置（ＢＳＣ）の間の他の、最低コストのデータ通信リンク（それは、無線リンクでも良い）を提供する。信号は、送信待ち時間に対する信号の感度に基いて、他のデータ通信リンク又は既存のデータ通信リンクを経てルートを決められてもよい。スイッチングシステムは、送信待ち時間に信号の感度を決定してもよい。
2005509351.tif 000002
【特許請求の範囲】
【請求項１】
無線アクセスネットワークの第１のノードと前記無線アクセスネットワークの第２のノードの間の通信であって、通常は前記第１のノードと前記第２のノードとの間を前記第１の通信リンクを介して流れる通信を管理する方法において、
第１のノードと第２のノードの間の伝送される信号が特定のタイプであるという判定がなされるステップと、
前記判定に応答して、前記第１の通信リンクを経る代わりに、前記第１のノードと第２のノードの間の第２の通信リンクを経て信号を伝送するステップ
とを備えることを特徴とする方法。
【請求項２】
前記第１のノードはＢＴＳを備えることを特徴とする請求項１に記載の方法。
【請求項３】
前記第２のノードは、ＢＳＣを備えることを特徴とする請求項１に記載の方法。
【請求項４】
前記判定は、前記第１のノードから前記第２のノードまで伝送されることになっている信号を考慮してなされることを特徴とする請求項１に記載の方法。
【請求項５】
前記判定は、前記第２のノードから前記第１のノードまで伝送されることになっている信号を考慮してなされることを特徴とする請求項１に記載の方法。
【請求項６】
前記第２の通信リンクは、無線通信リンクを備えることを特徴とする請求項１に記載の方法。
【請求項７】
前記第２の通信リンクは、衛星通信リンクを備えることを特徴とする請求項１に記載の方法。
【請求項８】
前記第２の通信リンクは、マルチチャネルＭＤＳ（ＭＮＭＳ）リンクを備えることを特徴とする請求項１に記載の方法。
【請求項９】
前記第２の通信リンクは、地上のマイクロ波リンクを備えることを特徴とする請求項１に記載の方法。
【請求項１０】
無線アクセスネットワークのＢＴＳと前記無線アクセスネットワークのＢＳＣの間の通信であって、通常は前記ＢＴＳと前記ＢＳＣとの間を前記第１の通信リンクを介して流れる通信を管理する方法において、
前記ＢＴＳと前記ＢＳＣの間の伝送される信号が信号遅延の感度が高いという判定がなされるステップと、
前記判定に応答して、前記第１の通信リンクを経る代わりに、前記ＢＴＳと前記ＢＳＣの間の通信衛星を備える第２の通信リンクを経て信号を伝送するステップ
とを備えることを特徴とする方法。
【請求項１１】
無線アクセスネットワークの第１のノードと前記無線アクセスネットワークの第２のノードの間の通信を制御するシステムであって、
専用の伝送ラインを備え、信号の種類を定義する通信を、前記第１のノードと前記第２のノードとの間で介する第１の通信リンクと
前記信号の種類に基づいて、前記第１の通信リンクを介すか第２の通信リンクを介すかいずれの通信で経由するかを決定する第１のスイッチと、
前記信号の種類に基づいて、前記第１の通信リンクを介すか前記第２の通信リンクを介すかいずれの通信で経由するかを決定する第１のスイッチ
とを備えることを特徴とするシステム。
【請求項１２】
前記第２の通信リンクは、無線通信リンクを備えることを特徴とする請求項１１に記載のシステム。
【請求項１３】
前記第２の通信リンクは、衛星通信リンクを備えることを特徴とする請求項１１に記載のシステム。
【請求項１４】
前記第２の通信リンクは、マルチチャネルＭＤＳ（ＭＮＭＳ）リンクを備えることを特徴とする請求項１１に記載のシステム。
【請求項１５】
前記第２の通信リンクは、地上のマイクロ波リンクを備えることを特徴とする請求項１１に記載のシステム。
【請求項１６】
前記第１のノードは、ＢＴＳを備えることを特徴とする請求項１１に記載のシステム。
【請求項１７】
前記第２のノードは、ＢＳＣを備えることを特徴とする請求項１１に記載のシステム。
【請求項１８】
前記第１のスイッチは、多層スイッチであることを特徴とする請求項１１に記載のシステム。
【請求項１９】
前記第２のスイッチは、多層スイッチであることを特徴とする請求項１１に記載のシステム。
【請求項２０】
無線アクセスネットワークのＢＴＳと前記無線アクセスネットワークのＢＳＣの間の通信を制御するシステムであって、
専用の伝送ラインを備え、信号の種類を定義する通信を、前記ＢＴＳと前記ＢＳＣとの間で介する第１の通信リンクと
前記信号の種類に基づいて、前記第１の通信リンクを介すか第２の通信リンクを介すかいずれの通信で経由するかを決定する第１のスイッチと、
前記信号の種類に基づいて、前記第１の通信リンクを介すか前記第２の通信リンクを介すかいずれの通信で経由するかを決定する第１のスイッチ
とを備えることを特徴とするシステム。
【発明の詳細な説明】
【技術分野】
【０００１】
本発明は無線電気通信に関し、さらに具体的には、無線データ通信ネットワークにおけるトラフィックをルーティングする方法及びシステムに関する。
【背景技術】
【０００２】
定型的なセルラー無線通信システム（すなわち無線データ通信ネットワーク）において、エリアは、ラジオ周波数（ＲＦ）指光特性や、それぞれの無線基地局装置（ＢＴＳ）アンテナからのエアーインタフェースによって定義される、地理的に多くのセルサイトに分割される。多くのモバイル端末（例えば移動電話、パーソナル携帯情報機器（ＰＤＡ）および／または他のデバイス）は、共通ＢＴＳを有するエアーインタフェースを経て全ての通信を行い、所定のセルサイトにおいて並行して作動することができる。順番に、多くのセルサイトからのＢＴＳは共通基地局制御装置（ＢＳＣ）と並行して通信することができ、多数のＢＴＳに対するトラフィックを集め、制御するように機能することができる。多くのＢＳＣは、それから共通ゲートウェイ（例えばパケットデータサービングノード（ＰＤＳＮ）または移動通信交換局（ＭＳＣ））と並行して通信することができ、それは他のエンティティへの或いは他のエンティティからの通信を準備して接続するように機能することができる。ＢＴＳ、ＢＳＣ及びゲートウェイ、それらの組合せは、ネットワーク接続をモバイル端末に提供する無線アクセスネットワーク（ＲＡＮ）を備える。
【０００３】
実際問題として、運搬人のトラフィック（すなわち、信号情報を除く１人のユーザからもう一方まで移動する通信）は、例えばＣＤＭＡ、ＴＤＮＩＡ、ＡＭＰＳ、その他などの周知のプロトコルに従って、モバイル端末からＢＴＳまで移動することができる。ＢＴＳは、それから多くのモバイル端末からのトラフィックを収集し、時分割多重（ＴＤＭ）されたストリームでまたは他のいくつかの形式でＢＳＣにトラフィックを伝送することができる。ＢＳＣは同様に、多くのＢＴＳからのトラフィックを収集し、遠隔エンティティに１送信のゲートウェイにＴＤＭストリームまたは他の形式のトラフィックを伝送する。逆にいえば、トラフィックがモバイル端末に伝送されていると、ゲートウェイからＢＳＣに、ＢＴＳへ更にモバイル端末へと、トラフィックは通過することができる。
【０００４】
無線通信の人気が爆発的成長したことについて、本質的なニーズが、無線通信網のトラフィック容量を増加を増長させた。この点に関しての主要な重点は、エアーインタフェースであった。今日、エアーインタフェース通信（ＩＳ−９５）のための最も一般的なＣＤＭＡプロトコルは、最高６４キロビット／秒（Ｋｂｐｓ）で、最高６４の同時通信セション（６４のウォルシュコードのそれぞれのウォルシュコードによって、それぞれコード化される）をサポートすることができる。しかし産業は、（ウォルシュコードを２回使うことによって）最高１４４ｋｂｐｓまでサポートできるｃｄｍａ２０００  １ｘＲＴＴ（別名１ＸＭＣ）と最高６２１ｋｂｐｓまでサポートすることのできるｃｄｍａ２０００  ＨＤＲ（High Data Rate）などのより高い帯域幅エアーインタフェースプロトコルを採用し始めている。更に、モバイル端末製造業者はまた現在、例えばグラフィクスとビデオ（更に音声）などのデジタルフォーマットのマルチメディア通信を送受信することができるモバイル端末を生成しており、それは高帯域に対する需用を更に増加する。
【０００５】
エアーインタフェース上のトラフィック容量が増加する度に、無線通信ネットワークの他の実体とリンクはまた、増加する交通フローをサポートすることができなければならない。残念なことに、ボトルネックが存在する。たとえば、ＢＴＳが多くの同時並行の広帯域のモバイル端末に関する通信をサポートすることになっている場合、ＢＴＳとＢＳＣの間のリンクはすぐにそのトラフィックの全てをサポートしなければならない。しかし、ＢＴＳとＢＳＣの間のリンクは、一般的に有限の帯域幅を伴う伝送ラインである。同様に、ＢＳＣとＰＤＳＮまたはMSCのようなゲートウェイの間のリンクは、一般的に有限帯域幅を伴う伝送ラインである。単により多くの伝送ラインを加えることによってさまざまなネットワーク要素の間のトラフィック容量を増加することが可能である。伝送ラインを加えることは、非常に高価にであるが、それはプロバイダが、物理的にラインを加える、または追加されたラインをローカル交換キャリア（ＬＥＣ）から借りることのいずれかを必要とする。ネットワークの２つの要素の間のトラフィック容量を増加するためにラインを複数のＬＥＣから借りることは、実際、セルラープロバイダのトータル運営費の本質的な部分であることができる。このように、トラフィック容量を増加するための均等なより良い解決案は魅力的である。
【発明の開示】
【課題を解決するための手段】
【０００６】
本発明の例示的な実施例によれば、ＲＡＮ（例えばＢＴＳ−ＢＳＣリンク（またはＢＳＣ−ＭＳＣ／ＰＤＳＮリンク））のリンク上の増加するトラフィックをサポートするための方法とシステムが提供される。例示的な実施例において、ＢＴＳは従来の伝送ラインによってＢＳＣに接続して存続することができる、しかし、ＢＴＳはまた、衛星リンクに又は他の無線リンクによって通信でＢＳＣに接続されることができる。
【０００７】
典型的な実施例によれば、遅延に敏感な通信はＢＴＳとＢＳＣの間の陸上通信線伝送リンクを経てルートを決められることができる、しかし、他の通信（すなわち遅延に敏感でないもの）はＢＴＳとＢＳＣの間の補足的な衛星リンク（または他のリンク）を経てルートを決められることができる。都合よく、この装置は、キャリー音声とデータ転送に使われた一方の陸上通信線リンク上の帯域幅解放し、その一方でルートを決められたデータ転送はまだ宛先（できる限りより大きい待ち時間を備える）に到達する。この結果はＲＡＮにおける全体的な帯域幅の増加であって、それによって最新の広帯域の通信にサポートを許可することができる。
【０００８】
本発明の実行を容易にするために、ＢＴＳとＢＳＣは、各々サテライト送受信装置を伴う通信でリンクされることができ、所定の通信が遅延に敏感かどうか決定するためにロジックを含むことができる。システムの中でルートを決める通信対象は、ＩＰパケットの形式であっても良い。通信の代替経路は、それらが遅延に敏感かどうかについて示すことができるＩＰパケットの中で、属性を検査することに基づくことができる。検査された属性は、例えば、発信元と宛先アドレス、ペイロードのコンテンツ、ＩＰポートアドレス、パケットのプロトコル、タイプオブサービス（ＴＯＳ）フラグ、を含むことができる。ルートを決めるために使用されるロジックは処理装置と処理装置によって実行可能な一組のコードを備えてもよく、又は、それはハードウェアに実装された多層スイッチまたはパケット交換機の他のタイプを備えてもよい。検査に基づいて、通信が、陸上通信線リンクまたは衛星リンクを経てルートを決められるべきであるどうかを、ロジックは確立することができる。
【０００９】
たとえば、モバイル端末からの所定の通信セションの開始において、ＢＴＳは、試みた通信がリアルタイムメディアまたはデータのみ（及びリアルタイムでない）メディアであるかどうか示しているパラメータを含む発信リクエストシグナリングメッセージを受信してもよい。パラメータが通信がリアルタイムメディアであることを示す場合、ロジックは通信が遅延に敏感であると断定することができる。その結果として、ＢＴＳはＢＳＣへの陸上通信線リンクを経たトラフィックのルートを決めることができる。他方、パラメータが通信がデータのみであることを示す場合、ロジックは通信が遅延に敏感でないと結論することができる。したがって、ＢＴＳは、ＢＳＣへの衛星リンクを経たトラフィックのルートを決めることができる。ＢＳＣからＢＴＳへの通信に有効な同様の他のリンクを介しても良い（例えば、ＢＳＣＭＳＣリンク又はＢＳＣ−ＰＤＳＮリンク）。
【００１０】
従来技術において周知であるように、サテライトと他の無線通信は通信を遅延させる可能性がある。この増加する待ち時間は、リアルタイムメディア通信（例えば音声またはビデオ会議）のためにとって、例えば加算遅延が目立って通信を分裂させることができる度に、問題を含む場合がある。しかし、加算された待ち時間は、主にデータのみであるか又は一方向の通信（例えばテキストメッセージとしてのファイル転送またはビデオまたはオーディオの一方向ストリーミング）には無関係である。このような通信がいくつかの秒後に均等な宛先に到達するが、実質的に連続シーケンスにおいて、受信者は、そのような差を知らない（または気にかけなかった）。したがって、例示的な実施例の方法と装置を用いて、伝送ライン（例えば銅ライン）を加算又はリース追加する極端に高価なコストなしで、無線アクセスネットワーク（RAN）の収容力を増加することができる。さらに、本発明を使用するネットワークを使用している誰も、従来のＲＡＮと比較して、全体的な品質のいかなる差に気づきそうではない。実際、特定の環境の下で、本発明を使用するネットワークは、リアルタイムメディア品質を改良することができる。本発明のさまざまな実施例のこれらのそしてまた他の特徴および効果は、例示的な実施例セクションの詳細な説明でより完全に後述する。
【発明を実施するための最良の形態】
【００１１】
本発明の例示的な実施例は、図面を参照して本願明細書において記載されている。
【００１２】
図面を参照すると、図１は、本発明の例示的な実施例が使用されることができるデータ通信ネットワークの簡略ブロック図を図示する。
【００１３】
図１に示すように、このネットワークは、無線基地局装置（ＢＴＳ）14と、基地局制御装置（ＢＳＣ）２０と、移動通信交換局（ＭＳＣ）のような一般的なゲートウェイ２４または例えばコムワークストータルコントロール１０００パケットデータサービングノード等のパケットデータサービングノード（ＰＤＳＮ）２６などの様々なネットワークノードを備える無線アクセスネットワーク（ＲＡＮ：radio access network ）を含むことができる。ＭＳＣ２４は、モトローラまたはノーテルのＭＳＣまたは他のいかなる適切なＭＳＣでもよい。これらの構成要素の装置と機能性は、公知技術であるので、詳細にここで記載されていない。
【００１４】
ＭＳＣ２４は、ＢＳＣ２０と公衆交換電話網（ＰＳＴＮ）２８の間のインタフェースとして、取り扱ってもよい。同様に、ＰＤＳＮ２６は、ＢＳＣ２０と、例えば可動性のインターネットまたはインターネットのＩＰネットワーク３０の間のインタフェースとして役立つことができる。ＢＳＣとＭＳＣの機能性が１つの装置に統合されてもよく、ＢＳＣ２０とＭＳＣ２４が独立した実体であることは必要でない。
【００１５】
データ通信ネットワークの範囲内で、例えばモバイル端末１２などの多地点通信デバイスは、通信でＢＴＳ１４に接続されてもよい。モバイル端末１２が無線電話として示されるけれども、任意の適切な形式（限定されるものではないが）例えば無線モデム、無線PDAまたは双方向ポケットベルなどを取っても良い。モバイル端末１２は、ＴＩＡ／ＥＩＡ−９５またはＴＩＡ／ＥＩＡ／ＩＳ−２０００にて説明したように、エアーインタフェースを使用しているＢＴＳ１４と通信してもよい。あるいはモバイル端末１２は、例えばＡＭＰＳ、ＴＤＭＡ、ＤＥＣＴ、ＧＳＭ、ＰＣＳまたはＰＷＴなどの他の技術を使用するセルラーシステムの要素であってもよく、使用するセルラー技術が必ずしも本発明の中の機能にきわめて重大であるというわけではない。
【００１６】
明確にするためだけに、例えばＢＴＳとＢＳＣの多数のネットワークエンティティは、図面から省略されており、通常、たとえば、ネットワークは複数のＢＴＳ、ＭＳＣ、モバイル端末、その他を含んで、発明が実現されてもよい。
【００１７】
一般的に、ＢＴＳ１４は、図１の伝送ライン２２ａに示すように、専用の回線切替伝送ラインなどの第１の通信リンクを介してＢＳＣ２０に通信でリンクされる。伝送ライン２２は、銅線、光ファイバリンクまたはマイクロ波リンクであっても良い（または、これに限定されるものではなく含んでも良い）。
【００１８】
図２で示す本発明の例示的な実施例において、ＢＴＳ１４は、例えば第１の通信リンク２２ａと第２の通信リンク２２ｂなどの多地点通信リンクを経てＢＳＣ２０に通信で接続されても良い。リンク２、リンク２２ａの類は、銅線、光ファイバ・リンクまたはマイクロ波リンクであっても良い（または、これに限定されるものではなく含んでも良い）。
【００１９】
後述するように、第２の通信リンク２２ｂは、場合によってはリンク２２ａが有してはならない固有のいくつかの遅延を有してもよい。
【００２０】
第２の通信リンク２２ｂが導く遅延のため、信号種別に従って、リンク２２ａ又は２２ｂのいずれかを介して信号のルートを決めるために、例えばスイッチ１０ａと１０ｂの多層スイッチを使用することは魅力的かもしれない。スイッチ１０ａと１０ｂは、ワイヤ速度で切り替えをしているレイヤー7を介して、レイヤー4を実行してもよい。たとえば、スイッチ１０ａと１０ｂはノーテルネットワークス（Nortel Networks）のアルテオン（Alteon）１８０シリーズウェブスイッチであっても良く、レイヤー７ウェブスイッチを介すファンダリーネットワークスのレイヤー２となるか、他の最適なマルチ動作スイッチでも良い。スイッチ１０ａと１０ｂはまた、マイクロプロセッサまたは他のコンピュータシステムによって実現されてもよく、それらが多層スイッチであることは必要でない。
【００２１】
それぞれ、スイッチ１０ａと１０ｂは、順番に、無線送受信装置１６ａと１６ｂに通信で接続されてもよい。デバイス１０ａ、１０ｂ、１６ａと１６ｂが独立した装置ユニットとして示されるが、機能はまた、任意の適切な組合せと位置で、他の構成要素と連動して実現されてもよい。たとえば、デバイス１０ａ、１０ｂ、１６ａ及び１６ｂのさまざまな機能は、まだ、スタンドアロンデバイスの機能性を提供すると共に、デバイスのいくつかの機能を統合する一つ以上の構成要素を使用して、容易に実現されてもよい。
【００２２】
更に、発明が処理装置または処理装置をいくつかの機能を実行するために用いてもよいので、それが、物理的に別のものからではなく、所望の機能を実行するための他の構成要素であって、通信で接続されるコンピュータまたは処理装置にそれらの機能が実行されてもよい。
【００２３】
スイッチ１０ａまたはスイッチ１０ｂを入力している信号は、ＴＣＰ／ＩＰプロトコルまたは、例えばアドレス解決プロトコル（ＡＲＰ）、インターネット制御メッセージプロトコル（ＩＣＭＰ）、ユーザーデータグラムプロトコル（ＵＤＰ）他のネットワークプロトコルを使用してもよい。ＢＴＳ１４からのデータは、ＮＡＳ８などのネットワークアクセスサーバ（ＮＡＳ：network access server）によって、ＴＣＰ／ＩＰに変換されてもよい。さまざまな信号のより高いレベルのプロトコルレイヤー（例えば、開放型システム間相互接続（ＯＳＩ）モデルのレイヤー４乃至７）を調べることによって、スイッチ１０ａまたは１０ｂのいずれの信号が遅延に敏感かを決定することができる。あるいは、スイッチ１０ａまたは１０ｂは、例えばＴＩＡ−９５またはＴＩＡ／ＥＩＡ／ＩＳ−２０００に記載の発信メッセージに含まれるサービスオプションパラメータなどの、いずれの信号の遅延が敏感であるかを示すことの出来る他のいかなる信号パラメータを検出してもよい。信号が遅延に敏感でない場合、それは第２の通信リンク２２ｂ上へ切替えられてもよい。
【００２４】
図２に示すように、第２の通信リンク２２ｂは、無線送受信装置１６ａ、１６ｂと通信衛星１８の中で備えられてもよい。通信衛星１８は従来の、静止サテライトであってもよく、または、例えば使っていないイリジウム（Iridium）サテライトなどの低アース軌道サテライトであってもよい。衛星通信リンクがいくぶん高価かもしれないが、充分なトラフィックを伴う通信プロバイダが追加された専用の伝送ラインを建設してまたは賃貸すると共に、サテライトを利用し、財政的に競争するようになる速度のサービスを求めて交渉することが可能であることはありそうである。例えば顧客に対する無線ウェブブラウジングなど、プロバイダがより多くの（より多くの収容力を必要とする）サービスを提供する度に、これは特に確かである。
【００２５】
図３に示すように、リンク２２ｂは、サテライト１８に対する代替として、ＭＭＤＳ全方向性アンテナ４０を使用するマルチチャネルＭＤＳ（ＭＭＤＳ）パスを含んでもよい。図3に示される他の代替として、リンク２２ｂはポイントツーポイントマイクロ波リンクを含んでもよい。このように、第２の通信リンク２２ｂの物理的な性質が、このシステムの適切な機能に必ずしも重大であるというわけではない。一旦信号が無線９の送受信装置１６ａと１６ｂを経て送受信されてとデータ通信ネットワークへと戻して切り替えをするので、システムの操作はトランスペアレントである。
【００２６】
一旦信号がＢＳＣ２０に到着すると、それはＰＤＳＮ２６のようなパケットデータサービングノードに、それからパケット交換網（例えばインターネット）へと、（信号のタイプに従って）適切にルートを決められてもよい。信号は、また、ＭＳＣ２４へ、更にＭＳＣ２４から公衆交換電話網（ＰＳＴＮ）へとルートを決められてもよい。
【００２７】
図５は、ＲＡＮを介して移動する通信信号が、スイッチ１０ａ又は１０ｂなどのスイッチまたは他の通信管理デバイスで受信される本発明の例示的な実施例に関係する一連の機能を図示する。ステップ１００（信号）に示すように、信号遅延の感度が高い又は信号遅延の感度が低い信号がスイッチ１０ａ又は１０ｂで受信される。信号はＲＡＮノードＮＡＳ８からＲＡＮノードＢＳＣ２０の方へ移動することができる。それは反対方向の移動であってもよく、システムの中での機能は、いずれにせよ同じものであることができる。
【００２８】
次に、受信信号が、信号遅延の感度が高い又は信号遅延の感度が低いかどうか決定するために、ステップ１０２に示すように、スイッチが用いられる。受信信号が信号遅延の感度が高いと決定される場合、ステップ１０４に示すように、それは第１の通信リンクを経て伝送される。信号が、遅延の感度が低いと決定される場合、ステップ１０６に示すように第２の通信リンクを経て伝送される。
【００２９】
１つの例として、システムのユーザは、モバイル端末１２からデータのみの通信セションを初期化してもよい。スイッチ１０ａまたは１０ｂは、終端末アプリケーションが一方向のデータのみのアプリケーション、即ち遅延に敏感でないアプリケーションであることが認定されることによって、その信号の一つまたは複数の属性に基づいてその結果生じるあらゆる信号をフィルターする。このように、第２の通信リンク２２ｂを経て、信号はＢＴＳ１４からＢＳＣ２０へ、またはＢＳＣ２０からＢＴＳ１４へ適切に伝送されてもよい。
【００３０】
そのスイッチ１０ａまたは１０ｂが多層スイッチであることや、またはそれらがあらゆる特定のＯＳＩレイヤーに含まれる情報に基づいて信号のルートを決めることは、必ずしも発明の全ての実施例にきわめて重大であるというわけではない。たとえば、スイッチ１０ａまたは１０ｂはあらゆるプロトコル単独でまたは他のレイヤーと結合して、レイヤーに含まれる情報上の判定基地のルートを決めることをなってもよいまたは、それらでペイロードから伝送されているデータのタイプを決定するために判定のルートを決めることは深いＩＰパケット検査に基づいて、ルートを決めさせても良い。
【００３１】
ユーザが、音声通話または双方向データ呼出し（すなわち遅延に敏感な呼出し）を始めようとする一方向データ呼出しを初期化する代わりに、スイッチ１０ａまたは１０ｂは、終端末アプリケーション（例えば音声通話）が遅延に敏感なことが認定されることによってその呼出しに伴うあらゆる信号のルートを決めてもよい。あるいは、スイッチ１０ａまたは１０ｂは、呼出しが音声通話またはデータ呼出しのいずれであるかを決定し、その決定に基づいて所望のリンクを介して信号を送信するために、ＴＩＡ／ＥＩＡ−９５またはＴＩＡ／ＥＩＡ／ＩＳ−２０００によって定義されるサービスオプションを検出できるように設定されても良い。呼出しが音声通話である場合、信号は、第１の通信リンク２２ａを経て、ＢＴＳ１４からからＢＳＣ２０へ、またはＢＳＣ２０からＢＴＳ１４へ伝送されてもよい。
【００３２】
本発明の例示的な実施例は、図示及び記載された。しかし、改変と変更態様が、以下の請求項に記載の本発明の精神と範囲からそれることのなく発明になされてもよいことは、理解される。
【図面の簡単な説明】
【００３３】
【図１】図１は、本発明の例示的な実施例が実現されることができる一部のデータ通信ネットワークを説明している簡略ブロック図である。
【図２】図２は、本発明の例示的な実施例を説明している簡略ブロック図である。
【図３】図３は、本発明の他の例示的な実施例を説明している簡略ブロック図である。
【図４】図４は、本発明のその他の例示的な他の実施例を説明している簡略ブロック図である。
【図５】図５は本発明の例示的な実施例の操作を説明しているフローチャートである。
【図１】
2005509351.tif 000003
【図２】
2005509351.tif 000004
【図３】
2005509351.tif 000005
【図４】
2005509351.tif 000006
【図５】
2005509351.tif 000007
【国際調査報告】
2005509351.tif 000008
2005509351.tif 000009